(57)【要約】【課題】筆記体の交換時に表示部材が折り曲がることを防止でき、しかも、ペン先没入状態の筆記体後端の識別表示部を十分に視認できる多芯筆記具を提供する。【解決手段】軸筒２内に複数の筆記体６を前後方向に移動可能に収容する。筆記体６の後端に操作体７を連結する。窓孔４１から操作体７を突出させる。操作体６の前端部に前方に開口する取付孔６６を設ける。取付孔６６の周壁を透明材料により形成する。筆記体５の後端部に筆記体５に対応した識別表示部を有する表示部材７を取り付ける。筆記体５の後端部と操作体６との連結状態において、表示部材７が操作体６の取付孔６６に嵌入され、表示部材７が取付孔６６の周壁を介して視認可能に構成される。ペン先没入状態における筆記体５の表示部材７の後端が、窓孔４１の前端より前方に位置する。窓孔４１よりも前方の軸筒２側壁の透視部４３を介して表示部材７を視認可能に構成する。【選択図】  図１
2011025441.tif 000002
【特許請求の範囲】
【請求項１】
軸筒内に複数の筆記体を前後方向に移動可能に収容し、前記各々の筆記体を弾発体により後方に付勢し、前記各々の筆記体の後端に操作体を連結し、軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させる多芯筆記具であって、
各々の操作体の前端部に前方に開口する取付孔を設け、少なくとも各々の取付孔の周壁を透明材料により形成し、各々の筆記体の後端部に各々の筆記体に対応した識別表示部を有する表示部材を取り付け、各々の筆記体の後端部と各々の操作体との連結状態において、前記各々の表示部材が各々の操作体の取付孔に嵌入され、各々の表示部材が各々の取付孔の周壁を介して視認可能に構成され、ペン先没入状態における各々の筆記体の表示部材の後端が、窓孔の前端より前方に位置するか又は窓孔の前端と一致し、前記各々の窓孔よりも前方の軸筒側壁に透視部を設け、前記透視部を介して各々の表示部材を視認可能に構成したことを特徴とする多芯筆記具。
【請求項２】
少なくとも窓孔よりも前方の軸筒側壁を透明材料から形成することによって透視部が構成される請求項１記載の多芯筆記具。
【請求項３】
窓孔よりも前方の軸筒側壁に径方向に貫通する小孔を形成することによって透視部が構成される請求項１記載の多芯筆記具。
【発明の詳細な説明】
【技術分野】
【０００１】
本発明は、多芯筆記具に関する。詳細には、軸筒内に複数の筆記体を収容した多芯筆記具に関する。
【背景技術】
【０００２】
従来この種の多芯筆記具において、例えば、特許文献１には、各々の操作体に前後方向に縦孔を設け、少なくとも各々に縦孔の周壁を透明材料により形成し、各々の筆記体の後端部に識別表示部（例えばインキ色表示部）を有する表示部材を取り付け、各々の筆記体の後端部と各々の操作体との連結状態において、各々の筆記体の表示部材が各々の操作体の縦孔に挿入され、各々の識別表示部を各々の縦孔の周壁を介して視認可能に構成し、且つ、各々の識別表示部を各々の窓孔を介して視認可能に構成した多芯筆記具が記載されている。
【先行技術文献】
【特許文献】
【０００３】
【特許文献１】特開２００９−１０７２２７号公報
【発明の概要】
【発明が解決しようとする課題】
【０００４】
前記特許文献１の多芯筆記具は、窓孔を介して表示部材の識別表示部を視認する構造であるため、表示部材が長手方向に比較的長くなり、筆記体の交換時に表示部材が折り曲がるおそれがある。
【０００５】
本発明は、前記従来の問題点を解決するものであって、筆記体の交換時に表示部材が折り曲がることを防止でき、しかも、ペン先没入状態の筆記体後端の表示部材を十分に視認できる多芯筆記具を提供しようとするものである。尚、本発明において、「前」とはペン先側を指し、「後」とはその反対側を指す。本発明で、ペン先突出状態とは、ペン先が軸筒の前端孔から前方に突出した状態をいい、ペン先没入状態とは、ペン先が軸筒内部に没入した状態をいう。
【課題を解決するための手段】
【０００６】
本願の第１の発明は、軸筒２内に複数の筆記体５を前後方向に移動可能に収容し、前記各々の筆記体５を弾発体により後方に付勢し、前記各々の筆記体５の後端に操作体６を連結し、軸筒２の側壁に前後方向に延びる複数の窓孔４１を径方向に貫設し、前記各々の窓孔４１から径方向外方に前記各々の操作体６を突出させ、一つの操作体６を窓孔４１に沿って前方にスライドさせることにより、その一つの操作体６に連結された筆記体５のペン先５１を軸筒２の前端孔から突出させるとともに、先に突出状態にあった他の筆記体５のペン先５１を軸筒２内に没入させる多芯筆記具であって、各々の操作体６の前端部に前方に開口する取付孔６６を設け、少なくとも各々の取付孔６６の周壁を透明材料により形成し、各々の筆記体５の後端部に各々の筆記体５に対応した識別表示部を有する表示部材７を取り付け、各々の筆記体５の後端部と各々の操作体６との連結状態において、前記各々の表示部材７が各々の操作体６の取付孔６６に嵌入され、各々の表示部材７が各々の取付孔６６の周壁を介して視認可能に構成され、ペン先没入状態における各々の筆記体５の表示部材７の後端が、窓孔４１の前端より前方に位置するか又は窓孔４１の前端と一致し、前記各々の窓孔４１よりも前方の軸筒２側壁に透視部４３を設け、前記透視部４３を介して各々の表示部材７を視認可能に構成したことを要件とする。
【０００７】
前記第１の発明の多芯筆記具１は、ペン先没入状態における各々の筆記体５の表示部材７の後端が、窓孔４１の前端より前方に位置するか又は窓孔４１の前端と一致してなることにより、表示部材７の長手寸法を比較的短くすることができ、筆記体５の交換時に表示部材７が折り曲がることを防止できる。また、前記第１の発明の多芯筆記具１は、表示部材７全体を短寸化でき、表示部材７の材料コストを低減させることができる。さらに、前記第１の発明の多芯筆記具１は、前記各々の窓孔４１よりも前方の軸筒２側壁（即ち各々の窓孔４１前端よりも前方の軸筒２側壁）に透視部４３を設け、前記透視部４３を介して、ペン先没入状態の筆記体５後端の表示部材７（識別表示部）を十分に視認できる。尚、本発明で、透明とは、無色透明、半透明、または着色透明をいう。
【０００８】
本願の第２の発明は、前記第１の発明の多芯筆記具１において、少なくとも窓孔４１よりも前方の軸筒２側壁（即ち少なくとも窓孔４１前端よりも前方の軸筒２側壁）を透明材料から形成することによって透視部４３が構成されることを要件とする。
【０００９】
前記第２の発明の多芯筆記具１は、透視部４３を介して十分に表示部材７（識別表示部）を視認できる。
【００１０】
本願の第３の発明は、前記第１の発明の多芯筆記具１において、窓孔４１よりも前方の軸筒２側壁（即ち窓孔４１前端よりも前方の軸筒２側壁）に径方向に貫通する小孔を形成することによって透視部４３が構成されることを要件とする。
【００１１】
前記第３の発明の多芯筆記具１は、透視部４３を介して十分に表示部材７（識別表示部）を視認できる。
【００１２】
（識別表示部）
尚、本発明で、前記識別表示部は、インキ色表示、ペン先サイズ表示、ペン先種類表示、または筆跡幅表示等が挙げられる。前記インキ色表示は、筆記体５内に収容されたインキの色を表示する。前記ペン先サイズ表示は、筆記体５前端のペン先のサイズを表示する。前記ペン先種類表示は、筆記体５前端のペン先の種類を表示する。前記筆跡幅表示は、筆記体５のペン先による筆跡の幅を表示する。
【発明の効果】
【００１３】
本発明の多芯筆記具によれば、筆記体の交換時に表示部材が折り曲がることを防止でき、しかも、ペン先没入状態の筆記体後端の表示部材を十分に視認できる。
【図面の簡単な説明】
【００１４】
【図１】本発明の第１の実施の形態の正面図である。
【図２】図１の分離状態を示す正面図である。
【図３】図１及び図６の操作体と筆記体の連結状態を示す要部縦断面図である。
【図４】図１及び図６の操作体と筆記体の連結状態を示す要部正面図である。
【図５】図１及び図６の操作体と筆記体の分離状態を示す要部縦断面図である。
【図６】本発明の第２の実施の形態の正面図である。
【図７】図１の分離状態を示す正面図である。
【発明を実施するための最良の形態】
【００１５】
＜第１の実施の形態＞
図１乃至図５に本発明の第１の実施の形態を示す。
図１は、本実施の形態のペン先没入状態を示す。図２は、筆記体５と軸筒２との分離状態を示す。図３及び図４は、軸筒２を省略し、操作体６と筆記体５との連結状態を説明するものである。図５は、軸筒２を省略し、操作体６と筆記体５との分離状態を説明するものである。
【００１６】
本実施の形態の多芯筆記具１は、軸筒２内に複数本（例えば２本〜４本）の筆記体５が前後方向に移動可能に収容されている。前記各々の筆記体５は、各々の弾発体８（具体的には圧縮コイルスプリング）により、後方に付勢されている。
【００１７】
（軸筒）
前記軸筒２は、先細状の円筒体からなる前軸３と、該前軸３の後端部と螺合または嵌合により取り付けられる円筒状の後軸４とからなる。前記前軸３の前端には、各々の筆記体５のペン先５１が突出可能な前端孔が軸方向に貫設される。前記前軸３及び後軸４は、合成樹脂（例えば、ポリカーボネイト等）の射出成形により得られる。前記後軸４の後部の側壁には、複数本（収容する筆記体５の本数に応じた本数）の前後方向に延びる細長状の窓孔４１が、径方向に貫設される。前記後軸４の窓孔４１の相互間の側壁外面には、クリップ４２が設けられる。
【００１８】
前記前軸３は不透明な合成樹脂により形成され、前記後軸４は透明材料（例えば、無色透明、半透明または有色透明の合成樹脂）により形成される。前記後軸４を透明材料により形成したことにより、後軸４の内部を外部より視認可能となり、少なくとも各々の窓孔４１前端よりも前方の軸筒２の側壁には透視部４３が形成される。尚、これ以外にも、本発明では、軸筒２全体（前軸３及び後軸４）を透明材料（例えば、無色透明、半透明または有色透明の合成樹脂）により形成してもよい。
【００１９】
（筆記体）
前記各々の筆記体５は、ボールペンレフィルであり、前端にボールが回転可能に抱持されたボールペンチップ（即ちペン先５１）と、該ボールペンチップを前端に備え且つ後端が開口されたインキ収容管５２とからなる。本実施の形態では、インキ収容管５２は、透明材料（例えば、無色透明、半透明または有色透明の合成樹脂）により構成される。
【００２０】
前記インキ収容管５２の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管５２内のインキの後端には、インキの消費に伴い前進する高粘度流体からなる追従体が充填される。
【００２１】
また、前記水性ゲルインキ、低粘度の水性インキ、低粘度の油性インキをインキ収容管５２内に収容する場合、その前端に取り付けられる前記ボールペンチップは、前端に回転可能に抱持されたボールを弾発体等により前方に付勢し、前端縁部の内面にボールを密接させる構成が採用される。また、ボールペンチップは、インキ収容管５２の前端開口部に圧入等により直接、取り付けてもよいが、本実施の形態ではペン先ホルダーを介してインキ収容管５２の前端開口部に固着される。
【００２２】
（表示部材）
前記インキ収容管５２の後端部開口部内面には、表示部材７の前端部７１が圧入固着される。前記表示部材７の前端部７１より後方には、鍔状の係止部７２が一体に形成される。前記係止部７２の後方には、棒状の後端部７３が一体に形成される。前記係止部７２及び後端部７３が、筆記体５後端（インキ収容管５２後端）より後方に突出される。前記表示部材７は、インキ収容管５２内のインキの色と略同じ色に着色され、前記表示部材７全体が識別表示部（インキ色表示）を構成する。前記表示部材７の外径（即ち、前端部７１の外径、係止部７２の外径、及び後端部７３の外径）は、筆記体５の外径（インキ収容管５２の外径）より小さく設定される。
【００２３】
（操作体）
前記各々の筆記体５の後端（即ちインキ収容管５２の後端）には、操作体６が取り付けられる。前記各々の操作体６の全体は、無色透明の合成樹脂（例えば、ポリカーボネイト、ＡＢＳ樹脂、ポリエチレンテレフタレート、ポリプロピレン等）により形成される。前記各々の操作体６の外面には、後端部に形成され且つ軸筒２の窓孔４１から外部に突出する操作部６１と、該操作部６１の反対側に設けられる後側突出部６３と、該操作部６１の反対側の後側突出部６３の前方に設けられる前側突出部６２と、前端部に形成される鍔部６４とが一体に形成される。また、前記各々の操作体６の前端部には、前方に開口する取付孔６６が形成される。
【００２４】
前記各々の取付孔６６に、前記各々の筆記体５の表示部材７（識別表示部）の棒状の後端部７３外面が嵌入される。前記各々の表示部材７の後端部が、各々の取付孔６６の透明な周壁を通して外部より視認可能となる。前記各々の取付孔６６に前記表示部材７のみが嵌入され、前記各々の取付孔６６には筆記体５の後端部は挿入されない。前記表示部材の係止部７２の前面がインキ収容管５２の後端に当接され、前記表示部材の係止部７２の後面が操作体６の前端に当接される。
【００２５】
前記表示部材７の前端部７１と筆記体５（インキ収容管５２）の後端開口部との固着は、前記表示部材７の後端部７３と操作体６の取付孔６６との間の嵌合よりも、強く固着され、それにより、筆記体５の交換時、操作体６から表示部材７を容易に取り除くことができる。また、前記表示部材７の後端部７３の外面に外向突起（例えば、環状突起または複数個が周状に分散される突起）を設け、前記操作体６の取付孔６６の内面に、前記後端部７３外面の外向突起（例えば、複数個が周状に分散される突起または環状突起）と乗り越え嵌合可能な内向突起を設けてもよい。それにより、表示部材７の前端部７１と操作体６の取付孔６６との容易な着脱が可能となる。
【００２６】
前記各々の操作体６の鍔部６４の前面には、各々の弾発体８の後端が係止される。また、前記各々の操作体６の両方の側面には抜け止め突起６５が形成される。前記抜け止め突起６５は窓孔４１の両方の側壁内面に係合可能である。
【００２７】
ペン先没入状態にある筆記体５の後端に連結された操作体６の前側突出部６２は、その操作体６の操作部６１を前方にスライド操作した際、先にペン先突出状態にある他の筆記体５の後端に連結された操作体６の後側突出部６３と当接され、他の筆記体５のペン先突出状態が解除される。
【００２８】
ペン先没入状態における各々の筆記体５の表示部材７の後端は、窓孔４１の前端より前方に位置するか又は窓孔４１の前端と一致する。即ち、ペン先没入状態における各々の筆記体５の表示部材７の後端（具体的には後端部７３の後端）は、窓孔４１から後方に突出せず、窓孔４１を介して視認できない。
【００２９】
（筆記体の交換）
本実施の形態の多芯筆記具１において、図２に示すように、筆記体５を交換する際、前軸３と後軸４とを分離し、筆記体５の後端部の表示部材７（識別表示部）を操作体６の取付孔６６から抜き取り、その後、新たな筆記体５の後端部の表示部材７（識別表示部）を操作体６の取付孔６６に嵌入する。
【００３０】
（本実施の形態の作用効果）
本実施の形態の多芯筆記具１は、ペン先没入状態における各々の筆記体５の表示部材７の後端が、窓孔４１の前端より前方に位置するか又は窓孔４１の前端と一致してなることにより、表示部材７の長手寸法を比較的短くすることができ、筆記体５の交換時に表示部材７が折り曲がることを防止できる。また、本実施の形態の多芯筆記具１は、表示部材７全体を短寸化でき、表示部材７の材料コストを低減させることができる。さらに、本実施の形態の多芯筆記具１は、前記各々の窓孔４１よりも前方の軸筒２側壁に透視部４３を設け、前記透視部４３を介して、ペン先没入状態の筆記体５後端の表示部材７（識別表示部）を十分に視認できる。特に、本実施の形態の多芯筆記具１は、操作体６を透明材料により形成し、且つ、インキ収容管５２を透明材料により形成し、且つ、後軸４全体を透明材料により形成したことにより、表示部材７全体が外部より視認可能となる。
【００３１】
＜第２の実施の形態＞
図６、図７、図３、図４、及び図５に本発明の第２の実施の形態を示す。図３、図４、図５は第１の実施の形態と共通である。図６は、本実施の形態のペン先没入状態を示す。図７は、筆記体５と軸筒２との分離状態を示す。図３及び図４は、軸筒２を省略し、操作体６と筆記体５との連結状態を説明するものである。図５は、軸筒２を省略し、操作体６と筆記体５との分離状態を説明するものである。
【００３２】
本実施の形態の多芯筆記具１は、軸筒２内に複数本（例えば２本〜４本）の筆記体５が前後方向に移動可能に収容されている。前記各々の筆記体５は、各々の弾発体８（具体的には圧縮コイルスプリング）により、後方に付勢されている。
【００３３】
（軸筒）
前記軸筒２は、先細状の円筒体からなる前軸３と、該前軸３の後端部と螺合または嵌合により取り付けられる円筒状の後軸４とからなる。前記前軸３の前端には、各々の筆記体５のペン先５１が突出可能な前端孔が軸方向に貫設される。前記前軸３及び後軸４は、合成樹脂（例えば、ポリカーボネイト等）の射出成形により得られる。前記後軸４の後部の側壁には、複数本（収容する筆記体５の本数に応じた本数）の前後方向に延びる細長状の窓孔４１が、径方向に貫設される。前記後軸４の窓孔４１の相互間の側壁外面には、クリップ４２が設けられる。
【００３４】
前記前軸３及び前記後軸４は不透明な合成樹脂により形成される。前記各々の窓孔４１前端よりも前方の後軸４の側壁には、小孔（具体的には円形の小孔）よりなる透視部４３が形成される。前記小孔の形状は、円形の他、楕円形、三角形、四角形、多角形、直線状スリット、屈曲状スリット、曲線状スリット、あるいはこれらの組合せ等、何れであってもよい。また、前記小孔は、窓孔４１と連通していてもよい。前記小孔が窓孔４１と連通する場合、前記小孔の幅寸法は、窓孔４１の幅寸法より小さく設定される。また、前記小孔は複数、設けてもよい。
【００３５】
（筆記体）
前記各々の筆記体５は、ボールペンレフィルであり、前端にボールが回転可能に抱持されたボールペンチップ（即ちペン先５１）と、該ボールペンチップを前端に備え且つ後端が開口されたインキ収容管５２とからなる。本実施の形態では、インキ収容管５２は、透明または半透明の合成樹脂により構成される。
【００３６】
前記インキ収容管５２の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管５２内のインキの後端には、インキの消費に伴い前進する高粘度流体からなる追従体が充填される。
【００３７】
また、前記水性ゲルインキ、低粘度の水性インキ、低粘度の油性インキをインキ収容管５２内に収容する場合、その前端に取り付けられる前記ボールペンチップは、前端に回転可能に抱持されたボールを弾発体等により前方に付勢し、前端縁部の内面にボールを密接させる構成が採用される。また、ボールペンチップは、インキ収容管５２の前端開口部に圧入等により直接、取り付けてもよいが、本実施の形態ではペン先ホルダーを介してインキ収容管５２の前端開口部に固着される。
【００３８】
（表示部材）
前記インキ収容管５２の後端部開口部内面には、表示部材７の前端部７１が圧入固着される。前記表示部材７の前端部７１より後方には、鍔状の係止部７２が一体に形成される。前記係止部７２の後方には、棒状の後端部７３が一体に形成される。前記係止部７２及び後端部７３が、筆記体５後端（インキ収容管５２後端）より後方に突出される。前記表示部材７は、インキ収容管５２内のインキの色と略同じ色に着色され、前記表示部材７全体が識別表示部（インキ色表示）を構成する。前記表示部材７の外径（即ち、前端部７１の外径、係止部７２の外径、及び後端部７３の外径）は、筆記体５の外径（インキ収容管５２の外径）より小さく設定される。
【００３９】
（操作体）
前記各々の筆記体５の後端（即ちインキ収容管５２の後端）には、操作体６が取り付けられる。前記各々の操作体６の全体は、無色透明の合成樹脂（例えば、ポリカーボネイト、ＡＢＳ樹脂、ポリエチレンテレフタレート、ポリプロピレン等）により形成される。前記各々の操作体６の外面には、後端部に形成され且つ軸筒２の窓孔４１から外部に突出する操作部６１と、該操作部６１の反対側に設けられる後側突出部６３と、該操作部６１の反対側の後側突出部６３の前方に設けられる前側突出部６２と、前端部に形成される鍔部６４とが一体に形成される。また、前記各々の操作体６の前端部には、前方に開口する取付孔６６が形成される。
【００４０】
前記各々の取付孔６６に、前記各々の筆記体５の表示部材７（識別表示部）の棒状の後端部７３外面が嵌入される。前記各々の表示部材７の後端部７３が、各々の取付孔６６の透明な周壁を通して外部より視認可能となる。前記各々の取付孔６６に前記表示部材７のみが嵌入され、前記各々の取付孔６６には筆記体５の後端部は挿入されない。前記表示部材の係止部７２の前面がインキ収容管５２の後端に当接され、前記表示部材の係止部７２の後面が操作体６の前端に当接される。
【００４１】
前記表示部材７の前端部７１と筆記体５（インキ収容管５２）の後端開口部との固着は、前記表示部材７の後端部７３と操作体６の取付孔６６との間の嵌合よりも、強く固着され、それにより、筆記体５の交換時、操作体６から表示部材７を容易に取り除くことができる。また、前記表示部材７の後端部７３の外面に外向突起（例えば、環状突起または複数個が周状に分散される突起）を設け、前記操作体６の取付孔６６の内面に、前記後端部７３外面の外向突起（例えば、複数個が周状に分散される突起または環状突起）と乗り越え嵌合可能な内向突起を設けてもよい。それにより、表示部材７の前端部７１と操作体６の取付孔６６との容易な着脱が可能となる。
【００４２】
前記各々の操作体６の鍔部６４の前面には、各々の弾発体８の後端が係止される。また、前記各々の操作体６の両方の側面には抜け止め突起６５が形成される。前記抜け止め突起６５は窓孔４１の両方の側壁内面に係合可能である。
【００４３】
ペン先没入状態にある筆記体５の後端に連結された操作体６の前側突出部６２は、その操作体６の操作部６１を前方にスライド操作した際、先にペン先突出状態にある他の筆記体５の後端に連結された操作体６の後側突出部６３と当接され、他の筆記体５のペン先突出状態が解除される。
【００４４】
ペン先没入状態における各々の筆記体５の表示部材７の後端は、窓孔４１の前端より前方に位置するか又は窓孔４１の前端と一致する。即ち、ペン先没入状態における各々の筆記体５の表示部材７の後端（具体的には後端部７３の後端）は、窓孔４１から後方に突出せず、窓孔４１を介して視認できない。
【００４５】
（筆記体の交換）
本実施の形態の多芯筆記具１において、図２に示すように、筆記体５を交換する際、前軸３と後軸４とを分離し、筆記体５の後端部の表示部材７（識別表示部）を操作体６の取付孔６６から抜き取り、その後、新たな筆記体５の後端部の表示部材７（識別表示部）を操作体６の取付孔６６に嵌入する。
【００４６】
（本実施の形態の作用効果）
本実施の形態の多芯筆記具１は、ペン先没入状態における各々の筆記体５の表示部材７の後端が、窓孔４１の前端より前方に位置するか又は窓孔４１の前端と一致してなることにより、表示部材７の長手寸法を比較的短くすることができ、筆記体５の交換時に表示部材７が折り曲がることを防止できる。また、本実施の形態の多芯筆記具１は、表示部材７全体を短寸化でき、表示部材７の材料コストを低減させることができる。さらに、本実施の形態の多芯筆記具１は、前記各々の窓孔４１よりも前方の軸筒２側壁に透視部４３を設け、前記透視部４３を介して、ペン先没入状態の筆記体５後端の表示部材７（識別表示部）を十分に視認できる。
【符号の説明】
【００４７】
１  多芯筆記具
２  軸筒
３  前軸
４  後軸
４１  窓孔
４２  クリップ
４３  透視部
５  筆記体
５１  ペン先（ボールペンチップ）
５２  インキ収容管
６  操作体
６１  操作部
６２  前側突出部
６３  後側突出部
６４  鍔部
６５  抜け止め突起
６６  取付孔
７  表示部材（識別表示部）
７１  前端部
７２  係止部
７３  後端部
【図１】
2011025441.tif 000003
【図２】
2011025441.tif 000004
【図３】
2011025441.tif 000005
【図４】
2011025441.tif 000006
【図５】
2011025441.tif 000007
【図６】
2011025441.tif 000008
【図７】
2011025441.tif 000009